(57)【要約】      （修正有）【課題】確実に使用者の音声を認識でき、且つ、信頼性の高いトイレ用音声案内装置を提供する。【解決手段】トイレ室ＴＲに設置され、前記トイレ室に関する情報を音声で案内するトイレ用音声案内装置１０であって、音声入力部と、音声を出力する音声出力部と、前記音声入力部に入力された音声を識別するとともに、識別した言語に基づいて前記音声出力部から特定の音声を発信させる制御部と、を備え、前記音声入力部は、前記トイレ室内の入口周辺に設けられることを特徴とする。【選択図】図５
2020156846.tif 000002
【特許請求の範囲】
【請求項１】
トイレ室に設置され、前記トイレ室に関する情報を音声で案内するトイレ用音声案内装置であって、
音声入力部と、
音声を出力する音声出力部と、
前記音声入力部に入力された音声を識別するとともに、識別した言語に基づいて前記音声出力部から特定の音声を発信させる制御部と、を備え、
前記音声入力部は、前記トイレ室内の入口周辺に設けられる
ことを特徴とするトイレ用音声案内装置。
【請求項２】
前記音声入力部は、
前記トイレ室の扉が設けられる壁に隣接するとともに前記扉が寄っている側の側壁に設けられ、
前記側壁の中央よりも前記扉側に設けられる
ことを特徴とする請求項１に記載のトイレ用音声案内装置。
【請求項３】
前記音声入力部は、集音の指向性が前記扉向きに設けられる
ことを特徴とする請求項２に記載のトイレ用音声案内装置。
【請求項４】
前記音声入力部は、
前記トイレ室の扉が設けられている壁に設けられ、
前記壁の中央よりも前記扉側に設けられる
ことを特徴とする請求項１に記載のトイレ用音声案内装置。
【請求項５】
前記音声入力部は、前記トイレ室に設けられる大便器よりも上方側に設けられる
ことを特徴とする請求項２〜請求項４の何れか１項に記載のトイレ用音声案内装置。
【請求項６】
前記トイレ室の扉の開閉を検知する開閉検知センサをさらに備え、
前記制御部は、前記開閉検知センサの検知に基づいて、前記音声入力部への音声入力を受け付ける
ことを特徴とする請求項１〜請求項５の何れか１項に記載のトイレ用音声案内装置。
【請求項７】
前記音声出力部は、前記音声入力部の配置に関する情報を出力する
ことを特徴とする請求項１〜請求項６の何れか１項に記載のトイレ用音声案内装置。
【発明の詳細な説明】
【技術分野】
【０００１】
本発明の態様は、一般的に、トイレ用音声案内装置に関する。
【背景技術】
【０００２】
従来から、公共施設などのトイレ室に設置され、外国人や目の不自由な方などに対してトイレ室に関する情報を音声で案内するトイレ用音声案内装置が知られている。トイレ用音声案内装置は、例えば、トイレ室内における大便器の位置や大便器の洗浄方法などを音声で案内する。これにより、トイレ室内のレイアウトやトイレ室内の機器の使用方法が分からない使用者に、トイレ室を使用し易くさせることができる。
【０００３】
こうしたトイレ用音声案内装置において、音声による案内を複数国の言語にすることで外国人も戸惑うことなく安心してトイレを利用することができる。ここで、複数国の言語として、例えば、日本語、英語、中国語、韓国語をローテーションで流すと、使用者は自分の分かる言語が流れるまで待たなければならないため、音声による案内は使用者が希望する一つの言語に特定することが好ましい。そこで、例えば特許文献１によれば、トイレ室の外側に設けられた操作部の近傍に音声入力部を配置して、音声入力部に入力された音声言語を判別し、入力された音声言語でトイレ室内の機器に関する情報を音声で案内するトイレ用自動ドアシステムが開示されている。
【先行技術文献】
【特許文献】
【０００４】
【特許文献１】特開２０１６−８４６１６号公報
【発明の概要】
【発明が解決しようとする課題】
【０００５】
しかしながら、上記特許文献１のトイレ用自動ドアシステムでは、トイレ室外の音声を自動で取得し、言語を音声認識するため、トイレを使用者しない人の言語を誤検知する可能性がある。その解決手段として、音声入力部をトイレ室内に配置する方法が考えられるが、音声入力部をトイレ室内の機器周辺に配置した場合、音声入力部が被水するおそれがある。また、トイレ室内の位置によっては音声入力部に湿気や埃が付着するなど、故障の原因となるおそれもある。
【０００６】
本発明は係る課題の認識に基づいてなされたものであり、確実に使用者の音声を認識でき、且つ、信頼性の高いトイレ用音声案内装置を提供することを目的とする。
【課題を解決するための手段】
【０００７】
上記目的を達成するために、本発明の一態様に係るトイレ用音声案内装置によれば、トイレ室に設置され、前記トイレ室に関する情報を音声で案内するトイレ用音声案内装置であって、音声入力部と、音声を出力する音声出力部と、前記音声入力部に入力された音声を識別するとともに、識別した言語に基づいて前記音声出力部から特定の音声を発信させる制御部と、を備え、前記音声入力部は、前記トイレ室内の入口周辺に設けられることを特徴とする。
【０００８】
このトイレ用音声案内装置によれば、トイレ室内に音声入力部を設置することで、使用者の音声を確実に拾うことができる。また、トイレ室の入口周辺に音声入力部を設置することで、例えば、トイレ室内の吐水する機器と離れた配置になるため、音声入力部の被水を防ぐことができる。更に、トイレ室の入口周辺は、扉の開閉や使用者の入退室によって空気の流れが最も多く、音声入力部の劣化原因となる湿気や埃が少ないため、音声入力部の故障を防ぐことができる。
【０００９】
本発明の一態様に係るトイレ用音声案内装置において、好ましくは、前記音声入力部は、前記トイレ室の扉が設けられる壁に隣接し、且つ、前記扉が寄っている側の側壁に設けられ、前記側壁の中央よりも前記扉側に設けられることを特徴とする。
【００１０】
このトイレ用音声案内装置によれば、使用者が入室した後、使用者が扉に背を向けている状態でも、使用者が扉に向いている状態でも、確実に使用者が発する音声を拾うことができるとともに、使用者の入室直後に言語を特定することができる。これにより、使用者が入室した直後から希望の言語で案内を聞くことができるため、より戸惑うことなく安心してトイレを使用することができる。
【００１１】
本発明の一態様に係るトイレ用音声案内装置において、好ましくは、前記音声入力部は、集音の指向性が前記扉向きとなるように設けられることを特徴とする。
【００１２】
このトイレ用音声案内装置によれば、使用者が入室した直後、つまり使用者が扉に背を向けている状態で、使用者が音声を発した場合に音声を拾いやすい。また、使用者が扉に向いている状態でも、扉で反射した音声を拾うことができる。これにより、音声入力部が一箇所の場合でも音声を確実に拾うことができる。
【００１３】
本発明の一態様に係るトイレ用音声案内装置において、好ましくは、前記音声入力部は、前記トイレ室の扉が設けられている壁に設けられ、前記壁の中央よりも前記扉側に設けられることを特徴とする。
【００１４】
このトイレ用音声案内装置によれば、使用者が扉に向いている時に音声を拾うことができる。これにより、扉を閉める又は鍵を閉めるとき、つまり使用者が入室後に必ず行う動作時に言語を特定することができる。
【００１５】
本発明の一態様に係るトイレ用音声案内装置において、好ましくは、前記音声入力部は、前記トイレ室に設けられる大便器よりも上方側に設けられることを特徴とする。
【００１６】
このトイレ用音声案内装置によれば、使用者が入室後直ぐに便座に着座した場合でも音声を拾えるため、再び入口周辺に移動することなく言語を特定することができる。
【００１７】
本発明の一態様に係るトイレ用音声案内装置において、好ましくは、前記トイレ室の扉の開閉を検知する開閉検知センサをさらに備え、前記制御部は、前記開閉検知センサの検知に基づいて、前記音声入力部への音声入力を受け付けることを特徴とする。
【００１８】
このトイレ用音声案内装置によれば、扉が閉まった状態、つまり、外部の騒音ノイズを低減した状態で音声を拾うことができる。また、使用者が扉に向いている状態において、使用者から発せられる音声が扉で反射しやすくなる。これにより、よりノイズレスな音声を拾うことができる。
【００１９】
本発明の一態様に係るトイレ用音声案内装置において、好ましくは、前記音声出力部は、前記音声入力部の配置に関する情報を出力することを特徴とする。
【００２０】
このトイレ用音声案内装置によれば、使用者が音声を発するのに適した位置を示すことができるので、より確実に音声を拾うことができ、使用者は戸惑うことなく発声できる。
【発明の効果】
【００２１】
本発明の態様によれば、案内する言語を特定する場合に、使用者の音声を確実に認識でき、且つ、信頼性の高いトイレ用音声案内装置を提供することができる。
【図面の簡単な説明】
【００２２】
【図１】本発明の一実施形態にかかるトイレ用音声案内装置を設置したトイレ室を模式的に表す平面図である。
【図２】本発明の一実施形態にかかるトイレ用音声案内装置を模式的に表すブロック図である。
【図３】本発明の一実施形態にかかるトイレ用音声案内装置を設置したトイレ室を模式的に表す斜視図である。
【図４】本発明の一実施形態にかかるトイレ用音声案内装置の設置する高さを模式的に表す側面図である。
【図５】音声入力部による音声検出範囲を模式的に表す平面図である。
【図６】使用者が発した音声が音声入力部に入力される状態を模式的に表す平面図である。
【図７】使用者が発した音声が壁面に反射して音声入力部に入力される状態を模式的に表す平面図である。
【図８】本発明の一実施形態にかかるトイレ用音声案内装置による一連の処理を例示するフローチャートである。
【図９】本発明の一実施形態にかかるトイレ用音声案内装置を設置したトイレ室を模式的に表す斜視図である。
【発明を実施するための形態】
【００２３】
以下、本発明の一実施形態にかかるトイレ用音声案内装置について図面を参照しつつ説明する。なお、各図面中、同様の構成要素には同一の符号を付して詳細な説明は適宜省略する。
【００２４】
まず、図１〜図４を用いて、本発明の一実施形態にかかるトイレ用音声案内装置について説明する。
図１は、本発明の一実施形態にかかるトイレ用音声案内装置を設置したトイレ室を模式的に表す平面図である。図２は、トイレ用音声案内装置を模式的に表すブロック図である。図３は、トイレ用音声案内装置を設置したトイレ室を模式的に表す斜視図である。図４は、トイレ用音声案内装置の設置する高さを模式的に表す側面図である。
【００２５】
図１に示すように、トイレ用音声案内装置１０は、トイレ室ＴＲに設置して使用される。トイレ用音声案内装置１０は、トイレ室ＴＲに関する情報を音声で案内する。これにより、外国人や目の不自由な方など、トイレ室ＴＲの使い方が分からずに不安な方にも安心してトイレ室ＴＲを使用させることができる。
【００２６】
トイレ室ＴＲは、例えば、公共施設のトイレ室である。トイレ室ＴＲは、例えば、多目的トイレや多機能トイレなどの独立した１つの部屋である。トイレ室ＴＲは、例えば、パーティションなどで仕切られた状態で１つの部屋に並べて設けられる、いわゆるトイレブースでもよい。
【００２７】
トイレ室ＴＲには、トイレ用音声案内装置１０の他に、例えば大便器１１、手洗器１２、１３、手乾燥装置１４、ベビーチェア１５、及び汚物流しユニット１６などが設置されている。但し、トイレ室ＴＲに設置される機器は、これに限ることなく、任意の機器で良い。
【００２８】
大便器１１は、下方に向けて窪んだボウル部を有する。大便器１１は、ボウル部において使用者の尿や便などの排泄物を受ける。大便器１１は、より詳しくは、洋式腰掛大便器である。
【００２９】
手洗器１２、１３は、大便器１１で用を足した使用者などが手を洗えるようにする。手乾燥装置１４は、使用者の手を検知して風を吹き出すことにより、手洗器１２、１３などで手を洗った使用者が手を乾かせるようにする。
【００３０】
ベビーチェア１５は、保護者が大便器１１などを利用する際などに、一時的に乳幼児を座らせておけるようにするための椅子である。汚物流しユニット１６は、オストメイトの方が排泄物などの汚物を処理するための器具である。ライニング１７は、トイレ室ＴＲの壁面から突出して設けられている。例えば、キャビネットやケーシングなどと呼ばれる場合もある。ライニング１７には、大便器１１やベビーチェア１５、汚物流しユニット１６等の機器が設けられている。
【００３１】
図２に表すように、トイレ用音声案内装置１０は、音声入力部２０と、音声出力部２１と、人体検知センサ２２と、扉検知センサ２３と、制御部２４と、を有する。音声入力部２０は、音声を入力する。音声入力部２０は、例えば、マイクロホン（マイク）である。音声入力部２０は、トイレ用音声案内装置１０のケーシング内に一体的に設けてもよいし、トイレ用音声案内装置１０のケーシングとは別に設け、有線通信又は無線通信を介して制御部２４と接続してもよい。
なお、扉検知センサ２３が、トイレ室の扉の開閉を検知する開閉検知センサとしての機能を有する。
【００３２】
音声出力部２１は、音声を出力する。音声出力部２１は、例えば、スピーカーである。音声出力部２１は、トイレ用音声案内装置１０のケーシング内に一体的に設けてもよいし、トイレ用音声案内装置１０のケーシングとは別に設け、有線通信又は無線通信を介して制御部２４と接続してもよい。
【００３３】
人体検知センサ２２は、トイレ室ＴＲに入室した使用者を検知する。人体検知センサ２２は、例えば、使用者のトイレ室ＴＲへの入室及び使用者のトイレＴＲからの退室などの使用者の状態を検知する。なお、人体検知センサ２２の検知する使用者の状態は、上記に限ることなく、使用者の任意の状態でよい。
【００３４】
人体検知センサ２２は、制御部２４と接続され、使用者の検知結果を制御部２４に入力する。人体検知センサ２２は、トイレ用音声案内装置１０のケーシング内に一体的に設けてもよいし、トイレ用音声案内装置１０のケーシングとは別に設け、有線通信又は無線通信を介して制御部２４と接続してもよい。
【００３５】
人体検知センサ２２には、例えば、赤外線投受光式の測距センサ、焦電センサ、又はマイクロ波センサなどを用いることができる。また、人体検知センサ２２は、１つのセンサなどで構成してもよいし、複数のセンサなどを組み合わせて構成してもよい。人体検知センサ２２は、例えば、使用者の複数の状態に対応した複数のセンサなどを有してもよい。
【００３６】
扉検知センサ２３は、トイレ室ＴＲの扉ＤＲの状態を検知する。扉検知センサ２３は、例えば、扉ＤＲの開及び閉状態を検知する。なお、扉検知センサ２３の検知する扉ＤＲの状態は、上記に限らない。
【００３７】
扉検知センサ２３は、制御部２４と接続され、扉ＤＲの状態の検知結果を制御部２４に入力する。扉検知センサ２３は、トイレ用音声案内装置１０のケーシング内に一体的に設けてもよいし、トイレ用音声案内装置１０のケーシングとは別に設け、有線通信又は無線通信を介して制御部２４と接続してもよい。
【００３８】
扉検知センサ２３には、例えば、赤外線投受光式の測距センサ、焦電センサ、又はマイクロ波センサなどを用いることができる。また、扉検知センサ２３は、１つのセンサなどで構成してもよいし、複数のセンサなどを組み合わせて構成してもよい。扉検知センサ２３は、例えば、使用者の複数の状態に対応した複数のセンサなどを有してもよい。
【００３９】
制御部２４は、例えばマイクロコンピュータからなり、音声案内の制御処理を行う。制御部２４は、音声案内の制御処理を行うためのプログラムが記憶されたＲＯＭ、ＲＡＭなどの記憶部（図示せず）を有している。制御部２４は、人体検知センサ２２による使用者の入室を検知して、対応する音声を音声出力部２１から出力させる。具体的には、制御部２４は、人体検知センサ２２が使用者の入室を検知すると、音声出力部２１に例えば「音声案内を行います。何語で案内しますか？」と発信させる。
【００４０】
制御部２４は、扉検知センサ２３による扉ＤＲの状態を検知して、対応する音声を音声出力部２１から出力させる。具体的には、制御部２４は、扉検知センサ２３が閉状態を検知すると、音声出力部２１に例えば「音声案内を行います。何語で案内しますか？」と発信させる。これにより、扉が閉まった状態、つまり、外部の騒音ノイズを低減した状態で音声を拾うことができる。人体検知センサ２２及び扉検知センサ２３は、どちらか１つでもよいし、１つのセンサで検知してもよい。
【００４１】
そして、制御部２４は、音声入力部２０に入力された音声を識別するとともに、識別した言語に基づいて音声出力部２１から特定の音声を発信させる。この場合、制御部２４が識別する音声とは、例えば日本語、英語、中国語、及び韓国語等の複数の言語を示すものである。すなわち、制御部２４は、使用者が何語でトイレ室ＴＲの案内を望んでいるかを判定する。一例を挙げると、使用者が「英語、イングリッシュ」と発した場合には、制御部２４は使用者が英語での案内を望んでいると判定する。
【００４２】
そして、使用者がトイレ室ＴＲから退室するまでは、音声出力部２１から英語で特定の音声（案内）を発信させる。この場合、特定の音声とは、トイレ室ＴＲの種々の機器の配置や使用方法や注意情報である。一例を挙げると、「トイレットペーパーをゴミ箱に捨てずに、大便器に流して下さい。」などの注意喚起であったりする。なお、制御部２４は、必要に応じて、図示しない他の制御部（機器）と有線または無線で通信可能としてもよい。
【００４３】
図３に表すように、トイレ室ＴＲは、扉ＤＲが設けられる壁３３と、壁３３に隣接する壁３１と、壁３３に対向する壁（図示せず）と、壁３１に対向する壁（図示せず）と、天井及び床と、を有している。
壁３１は壁３３に隣接する壁３１の一部分の領域である領域３０を有する。領域３０は、壁３１の中央より扉ＤＲが寄っている側の領域である。トイレ用音声案内装置１０は、壁３１の領域３０に設けられる。つまり、トイレ用音声案内装置１０の音声入力部２０が、比較的扉ＤＲに近い位置（入口周辺）に設けられる。このように、トイレ室ＴＲ内に音声入力部２０を設置することで、使用者の音声を確実に拾うことができる。また、トイレ室ＴＲの入口周辺に音声入力部２０を設置することで、例えば、トイレ室ＴＲ内の吐水する機器と離れた配置になるため、音声入力部２０の被水を防ぐことができる。更に、トイレ室ＴＲの入口周辺は、扉ＤＲの開閉や使用者の入退室によって空気の流れが最も多く、音声入力部２０の劣化原因となる湿気や埃が少ないため、音声入力部の故障を防ぐことができる。
【００４４】
図４に表すように、トイレ用音声案内装置１０は、大便器１１より上方側に設けられる。そのため、トイレ用音声案内装置１０の音声入力部２０を、高さ方向において、便座に着座した使用者の頭部（使用者の口）により近づけることができる。これにより、使用者が発した音声を、音声入力部２０が拾い易くなる。使用者が入室直後に便座に着座した場合、つまり、使用者が入口周辺で音声入力部２０に声を発することなく便座に着座した場合に、使用者が再び入口周辺に移動することなく便座に座ったまま、音声入力部２０によって声を拾うことができる。その結果、使用者に煩わしさを感じさせることなく、言語を特定することができる。
【００４５】
つぎに、図５〜図８を用いて、本発明の一実施形態にかかるトイレ用音声案内装置の動作及び作用について説明する。
図５は、音声入力部による音声検出範囲を模式的に表す平面図である。図６は、使用者が発した音声が音声入力部に入力される状態を模式的に表す平面図である。図７は、使用者が発した音声が扉に反射して音声入力部に入力される状態を模式的に表す平面図である。図８は、トイレ用音声案内装置による一連の処理を例示するフローチャートである。
【００４６】
図５に表すように、トイレ用音声案内装置１０の音声入力部２０は、音声検出範囲が二点鎖線で示す範囲Ａとなるように設けられる。より具体的には、音声入力部２０の集音の指向性が扉ＤＲ向きとなるように、音声入力部２０が設けられる。これにより、トイレ室ＴＲの入口で使用者Ｕが発した音声を拾うことができるため、使用者Ｕの入室直後に音声を検出することができる。その結果、使用者Ｕは入室した直後から希望する言語で音声案内を聞くことができる。
【００４７】
また、図６に表すように、トイレ用音声案内装置１０の音声入力部２０は、トイレ室ＴＲの入口付近の領域３０に設置されている。ここで、例えば、入口で矢示Ｂのように使用者Ｕが音声を発した場合、そのまま音声入力部２０に音声が到達する。これにより、入口で使用者Ｕが発した音声を直接拾うことができるため、使用者Ｕの入室直後に特別な動作（例えば、体をひねる動作、音声入力部２０へ体を向ける動作、等）を強いることなく音声を検出することができる。
【００４８】
さらに、図７に表すように、入口で使用者Ｕが扉ＤＲに向いている場合でも、使用者Ｕが発した音声が、矢示Ｃのように扉ＤＲで反射して音声入力部２０に到達する。これにより、入口で使用者Ｕがトイレ用音声案内装置１０に背を向けている状態でも音声を拾うことができるため、例えば、扉ＤＲや鍵を閉めているとき、つまり、使用者Ｕが入室直後に必ずする動作時に、使用者Ｕの音声を検出することができる。その結果、音声入力部が一箇所の場合でも特別な動作を強いることなく、確実に音声を検出することができる。
【００４９】
このように、本発明の一実施形態におけるトイレ用音声案内装置１０によれば、使用者Ｕが入室した後、使用者Ｕが扉ＤＲに背を向けている状態でも、使用者Ｕが扉に向いている状態でも、確実に使用者Ｕが発する音声を拾うことができるとともに、使用者Ｕの入室直後に言語を特定することができる。これにより、使用者Ｕが入室した直後から希望の言語で案内を聞くことができるため、より戸惑うことなく安心してトイレを使用することができる。
【００５０】
次に、図８を用いて、トイレ用案内装置の一連の動作処理を説明する。
図８に表すように、制御部２４は、人体検知センサ２２により使用者が検知されたか否かを判定する（ステップＳ１０１）。この処理は、人体検知センサ２２により使用者が検知されるまで繰り返される（ステップＳ１０１,Ｎｏ）。
【００５１】
ステップＳ１０１において、人体検知センサ２２により使用者が検知されたと判定すると（ステップＳ１０１，Ｙｅｓ）、制御部２４は、扉検知センサ２３により扉ＤＲの閉状態が検知されたか否かを判定する（ステップＳ１０２）。この処理は、扉検知センサ２３により扉ＤＲの閉状態が検知されるまで繰り返される（ステップＳ１０２,Ｎｏ）。
【００５２】
続いて、ステップ１０２において、扉検知センサ２３により、扉ＤＲの閉状態が検知されたと判定すると（ステップＳ１０２, Ｙｅｓ）、制御部２４は、音声出力部２０より音声を出力する（ステップＳ１０３）。このように、扉ＤＲの閉状態検出後に音声出力をすることにより、トイレ室ＴＲ外からのノイズを検出してしまうことを抑制することができる。すなわち、扉ＤＲが閉まった密閉空間となったトイレ室ＴＲ（外部の騒音ノイズを低減した状態）で、使用者の音声を検出することができるため、音声入力部２０のノイズ検知を低減させることができる。また、使用者が扉ＤＲに向いている状態において、使用者から発せられる音声が扉ＤＲで反射しやすくなる（図７等参照）。これにより、よりノイズレスな音声を拾うことができる。
【００５３】
ステップＳ１０３において、出力言語は、例えば「音声案内を行います。何語で案内しますか？」と発信させる。出力言語は、例えば「扉を背にして、大便器の方向に向かって発生してください。」等と音声入力部２０の配置に関する情報を発信させ、使用者に音声を発する向きを誘導させてもよい。これにより、使用者が音声を発するのに適した位置を示すことができるので、より確実に音声を拾うことができ、使用者は戸惑うことなく発声できる。この音声案内は、複数の言語で順番に行ってもよいし、一言語のみでもよい。
【００５４】
そして、使用者が例えば「英語」や「イングリッシュ」と発生したことを音声入力部２０が検知する（ステップＳ１０４）と、制御部２４は入力言語を特定し（ステップＳ１０５）、それ以降の音声案内を英語で行う（ステップＳ１０６）。これにより、トイレ室ＴＲ内の使用者が望む言語で各機器の配置、使い方、注意事項、及び位置情報の音声案内を行うことができる。
【００５５】
つぎに、図９を用いて、本発明の変形例にかかるトイレ用案内装置について説明する。
図９は、トイレ用音声案内装置を設置したトイレ室を模式的に表す斜視図である。
【００５６】
図９に表すように、扉ＤＲが設けられる壁３３は、壁３３の一部分の領域である領域３２を有する。この領域３２は、壁３３の中央より扉ＤＲが寄っている側の領域である。トイレ用音声案内装置１０は、壁３３の領域３２に設けられる。つまり、トイレ用音声案内装置１０が、比較的扉ＤＲに近い位置（入口周辺）に設けられる。このように、トイレ室ＴＲ内に音声入力部２０を設置することで、使用者の音声を確実に拾うことができる。また、トイレ室ＴＲの入口周辺に音声入力部２０を設置することで、例えば、トイレ室ＴＲ内の吐水する機器と離れた配置になるため、音声入力部２０の被水を防ぐことができる。更に、トイレ室ＴＲの入口周辺は、扉ＤＲの開閉や使用者の入退室によって空気の流れが最も多く、音声入力部２０の劣化原因となる湿気や埃が少ないため、音声入力部の故障を防ぐことができる。
さらに、トイレ用音声案内装置１０の音声入力部２０が、壁３３の領域３２に設けられることにより、使用者が扉ＤＲに向いている状態での音声を拾いやすくなる。その結果、使用者が扉ＤＲ又は鍵を閉めるとき、つまり使用者が入室後に必ず行う動作時に言語を特定することができる。
【００５７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ用音声案内装置１０が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５８】
１０  トイレ用音声案内装置、  １１  大便器、  １２、１３  手洗器、  １４  手乾燥装置、１５  ベビーチェア、  １６  汚物流しユニット、  １７  ライニング、  ２０  音声入力部、  ２１  音声出力部、  ２２  人体検知センサ、  ２３  扉検知センサ（開閉検知センサ）、  ２４  制御部、  ３０  側壁、  ３１  壁、  ３２  側壁、  ３３  壁、  ＤＲ  扉、  ＴＲ  トイレ室、  Ｕ  使用者
【図１】
2020156846.tif 000003
【図２】
2020156846.tif 000004
【図３】
2020156846.tif 000005
【図４】
2020156846.tif 000006
【図５】
2020156846.tif 000007
【図６】
2020156846.tif 000008
【図７】
2020156846.tif 000009
【図８】
2020156846.tif 000010
【図９】
2020156846.tif 000011